(57)【特許請求の範囲】
【請求項１】
固定ジョーと可動ジョーとを備え、
それら部材の間に破砕チャンバー（３）が形成され、該破砕チャンバー（３）はその上部が開放されており、
前記固定ジョーには第１摩耗部（１）が備え付けられており、前記可動ジョーにはピットマン（４）と第２摩耗部（２）とが備え付けられており、
前記破砕チャンバーは、それぞれ等しい高さ（ｈ）を有する上部区域（５）、中間区域（６）及び下部区域（７）を備え、
前記ピットマンは、偏心シャフト（８）と少なくとも１つのスライド部材（９、９′）とに軸着されている、
ジョークラッシャー（１００）であって、
前記偏心シャフト（８）の中心を通る実質的な水平線（１１）は、前記破砕チャンバー（３）の中間区域（６）を通ると共に、前記少なくとも１つのスライド部材（９、９′）の位置を通り、
前記少なくとも１つのスライド部材（９、９′）は、前記破砕チャンバーの鉛直方向中央線（１０）に対して実質的に垂直な方向においてスライドするように構成されており、
更に、前記少なくとも１つのスライド部材（９、９′）は、該スライド部材に対向する下部スライド表面（１２）と上部スライド表面（１３）との間でスライドするように構成されており、かつ前記スライド部材の接続部位において前記ピットマン（４）の直線状移動経路を維持するように構成されている、
ことを特徴とする、ジョークラッシャー（１００）。
【請求項２】
前記偏心シャフト（８）の中心を通る実質的な水平線（１１）が前記破砕チャンバーの中心線（３′）を実質的に通ることにより前記破砕チャンバーが等しい高さ（Ｈ）の２つの部分に分割されることを特徴とする、請求項１に記載のジョークラッシャー。
【請求項３】
前記スライド部材（９、９′）が圧縮力及び張力の両方を垂直方向で受容するように構成されていることを特徴とする、請求項１又は２に記載のジョークラッシャー。
【請求項４】
前記スライド部材（９、９′）が、前記ピットマン（４）に対して又は前記ジョークラッシャーの側板に対して移動するように配備されており、
該スライド部材に接続する固定部材（１４）が前記側板又は前記ピットマンに対応して接続されている、
ことを特徴とする、請求項１〜３の何れか１項に記載のジョークラッシャー。
【請求項５】
前記破砕チャンバーの鉛直方向中央線（１０）が重力方向にあることを特徴とする、請求項１〜４の何れか１項に記載のジョークラッシャー。
【請求項６】
第１スライド部材（９）が前記破砕チャンバー（３）の鉛直方向中央線（１０）と前記偏心シャフト（８）との間に配置されていることを特徴とする、請求項１〜５の何れか１項に記載のジョークラッシャー。
【請求項７】
前記ジョークラッシャーが、前記第１スライド部材（９）の方向から見た場合に前記偏心シャフト（８）の後方に配置された第２スライド部材（９′）を更に備えることを特徴とする、請求項６に記載のジョークラッシャー。
【請求項８】
前記ジョークラッシャーが、前記偏心シャフト（８）と前記ピットマン（４）との間に配置された第３スライド部材（１９）を備えることを特徴とする、請求項７に記載のジョークラッシャー。
【請求項９】
前記第３スライド部材（１９）が偏心シャフト（８）の偏心移動を前記ピットマン（４）の水平移動に移行させるように構成されていることを特徴とする、請求項８に記載のジョークラッシャー。
【請求項１０】
前記ジョークラッシャーが、前記偏心シャフト（８）の偏心部（８′）と前記第１スライド部材又は第２スライド部材（９、９′）の固定部材（１４、２１）との間で接続されたクランク（２０）を備えることを特徴とする、請求項６に記載のジョークラッシャー。
【請求項１１】
偏心スリーブ等の回転可能な偏心要素（２２）が前記ピットマン（４）と前記破砕チャンバー（３）に近接するピットマンの前端部に位置する偏心シャフトの偏心部（８′）との間で着軸されており、
前記偏心要素（２２）及び前記偏心シャフト（８）の偏心度と回転速度とが、前記ピットマンの直線状の移動が実現するように等しく設定されている、
ことを特徴とする、請求項１〜３の何れか１項に記載のジョークラッシャー。
【請求項１２】
前記少なくとも１つのスライド部材（９，９′）は、前記破砕チャンバー（３）の方向から見た場合に前記偏心シャフト（８）の後方に配置されていることを特徴とする、請求項１１に記載のジョークラッシャー。
【請求項１３】
前記ジョークラッシャーが、前記少なくとも１つのスライド部材（９，９′）を垂直に支持するように設定された特定の安全圧力限界を有する上部及び下部の液圧シリンダー（２６，２７）を備えた安全デバイスを備えることを特徴とする、請求項１〜１２の何れか１項に記載のジョークラッシャー。
【請求項１４】
前記偏心シャフト（８）と前記第１スライド部材（９）との間の第１距離が、前記破砕チャンバーの鉛直方向中央線（１０）と前記第１スライド部材（９）との間の第２距離よりも実質的に大きくなるように設定されていることを特徴とする、請求項６に記載のジョークラッシャー。
【請求項１５】
前記ジョークラッシャーが設定及びジョー角度の調整装置を備え、該調整装置は前記固定ジョーの上端部及び下端部に位置することを特徴とする、請求項１〜１４の何れか１項に記載のジョークラッシャー。
【請求項１６】
請求項１〜１５の何れか１項に記載のジョークラッシャー（１００）を備えることを特徴とする、破砕プラント（２００）。
【請求項１７】
ジョークラッシャー（１００）又は破砕プラント（２００）において鉱物材料を破砕する方法であって、
前記ジョークラッシャー（１００）又は破砕プラント（２００）は固定ジョーと可動ジョーとを備え、それら部材の間に破砕チャンバーが形成され、該破砕チャンバー（３）はその上部が開放されており、前記固定ジョーには第１摩耗部（１）が備え付けられており、前記可動ジョーにはピットマン（４）と第２摩耗部（２）とが備え付けられており、
前記破砕チャンバーは、それぞれ等しい高さ（ｈ）を有する上部区域（５）、中間区域（６）及び下部区域（７）を備え、
前記ピットマンは、偏心シャフト（８）と少なくとも１つのスライド部材（９、９′）とに軸着されており、
前記偏心シャフト（８）の中心を通る実質的な水平線（１１）は、前記破砕チャンバー（３）の中間区域（６）を通ると共に、前記少なくとも１つのスライド部材（９、９′）の位置を通り、
前記破砕チャンバーの鉛直方向中央線（１０）に対して実質的に垂直な方向において前記ジョークラッシャーにおける移動機構の前記少なくとも１つのスライド部材（９、９′）をスライドさせることによって、前記破砕チャンバーにおいて、実質的に直線状の破砕ストロークが、破砕する材料に向くようにすることを含むことを特徴とし、
更に、前記少なくとも１つのスライド部材（９、９′）は、該スライド部材に対向する下部スライド表面（１２）と上部スライド表面（１３）との間でスライドするように構成されており、かつ前記スライド部材の接続部位において前記ピットマン（４）の直線状移動経路を維持するように構成されていることを特徴とする、
方法。
【請求項１８】
前記スライド部材（９、９′）を用いて異なる負荷状態において圧縮力と張力の両方を垂直方向で受容することを特徴とする、請求項１７に記載の方法。
【請求項１９】
前記ピットマン（４）に対して又は前記ジョークラッシャーの側板に対して前記スライド部材（９、９′）を移動させることを特徴とする、請求項１７又は１８に記載の方法。
【請求項２０】
クランク（２０）によって前記スライド部材（９、９′）を前記偏心シャフト（８）の偏心移動と連動させることを特徴とする、請求項１７〜１９の何れか１項に記載の方法。
【発明の詳細な説明】
【技術分野】
【０００１】
本発明は、鉱物材料の破砕に好適なジョークラッシャー、処理プラント及び破砕方法に関する。
【背景技術】
【０００２】
ジョークラッシャーの機能は、岩石を圧縮する力を利用するものである。偏心シャフトが、ジョークラッシャー本体に取り付けられており、その偏心シャフトには、固定ジャーに対して偏心移動をする可動ジョー、即ちピットマンが連結されている。ジョークラッシャーのピットマンを動作させるために、主に２つの種類のものが知られており、ピットマンの動作機構において、２つのトグルプレート（いわゆるダブルトグル）又は１つのトグルプレート（いわゆるシングルトグル）が用いられている。
【０００３】
ダブルトグル型ジョークラッシャーにおいては、偏心シャフトが２つのトグルプレートの間に連結されており、ピットマンの一方の端部（例えば、ブレーキクラッシャーにおける下端部）を動作させ、該ピットマンの他方の端部クラッシャー本体に枢支されている。いわゆるオーバーヘッド・ピボット型のダブルトグル・クラッシャーにおいては、ピットマン上端部の回転軸が、破砕チャンバーの二等分線上に位置しており、破砕チャンバの上部において、従来のブレーキクラッシャーのストロークよりも大きいストロークが生じ、該ストロークは、固定ジョーに対してより垂直な方向にある。該ストロークは大きい円弧の形態である。
【０００４】
シングルトグル型クラッシャーは、ダブルトグル型クラッシャーよりも単純である。シングルトグル型クラッシャーにおいては、ピットマンの一方の端部が、偏心シャフトを介してクラッシャー本体に枢支されており、ピットマンの他方の端部がトグルプレートを介してクラッシャー本体に枢支されている。ピットマンの上端部が偏心シャフトによって枢支されている（オーバヘッド偏心型クラッシャー）場合、可動ジョーの動作形状は、偏心シャフト近傍にあるので、破砕チャンバーの上部において殆んど円形となる。さらに、破砕チャンバーの底部におけるストロークは、細長い楕円形であるが、その運動形状は、破砕チャンバーにおいて上方に行くにつれ円により近い形態となる。
【０００５】
シングルトグルクラッシャーにおいては、破砕チャンバの上部及び中央部において強力なストロークが、動作形状の形態により短くなるという問題がある。圧縮動作の大部分は、斜め下方又は上方に向けられる。単一の石を壊すために必要な破砕ストローク量は、ストロークが短いために高くなり、ストロークが短いことが処理能力を制限しており、実質的な破砕の前は、破砕を受ける材料の表面のみの粉砕にしか繋がらない。微細な材料は、経済的に関心を引くものではなく、微細な材料の生成は不要なエネルギー消費を生じさせる。ストロークの方向は、破砕チャンバーの底部において最適ではないが、上方に向かい、破砕を受ける材料は、摩耗表面上を垂直に動く。相対的に長い圧縮距離を要する大量の石は破砕チャンバーの上部で破砕される。既知のクラッシャーの上部におけるストローク長は、石のサイズに対して小さい。クラッシャーの破砕チャンバーの上部においてはストロークが短いことから、大きな石が壊れるまでには多数のストロークが必要とされる。好ましくないストローク方向は、破砕チャンバの二等分線に対して垂直なストロークよりも、ジョーを摩耗する。
【０００６】
ダブルトグルクラッシャーにおいて、ストロークの形状及び方向は、シングルトグルクラッシャーにおけるそれらよりも良い。一方、ストロークは、破砕チャンバの下部よりも上部においてより小さく、それゆえに、破砕チャンバの上部は処理能力を制限してしまう部分になりやすい。
【０００７】
ジョーが摩耗すると、破砕チャンバーにおけるかみ角が大きくなり、一部のアプリケーションにおいては、クラッシャーの処理能力を下降させ得、実質的小さくし得る。
【０００８】
英国特許第２７５１００号には、固定破砕ジョーと偏心部によって駆動させる可動破砕ジョーとを有する砕石機が示されている。この可動ジョーは、側方において水平移動可能なピボット上に掛かっている。
【先行技術文献】
【特許文献】
【０００９】
【特許文献１】英国特許第２７５１００号
【摘要】
【００１０】
本発明は、既知のクラッシャー（破砕機）に関連して存在する欠点を克服し又は少なくとも緩和することができる、代替クラッシャーを創作することを目的とする。
【００１１】
本発明の第１の例示態様によれば、固定ジョーと可動ジョーとを備え、それら部材の間に破砕チャンバーが形成され、該破砕チャンバーはその上部が開放されており、前記固定ジョーには第１摩耗部が備え付けられており、前記可動ジョーにはピットマンと第２摩耗部とが備え付けられており、前記破砕チャンバーは、それぞれ等しい高さを有する上部区域、中間区域及び下部区域を備え、かつ前記ピットマンは、偏心シャフトと少なくとも１つのスライド部材とに軸着されており、前記少なくとも１つのスライド部材は、前記破砕チャンバーの鉛直方向中央線に対して実質的に垂直な方向においてスライドするように構成されている、ジョークラッシャーが提供される。
【００１２】
前記偏心シャフトの中心を通る実質的な水平線が前記破砕チャンバーの中間区域を通ることが好ましい。
【００１３】
前記偏心シャフトの中心を通る実質的な水平線が前記破砕チャンバーの中心線を実質的に通ることにより前記破砕チャンバーが等しい高さの２つの部分に分割されることが好ましい。
【００１４】
前記偏心シャフトの中心を通る実質的な水平線が前記少なくとも１つのスライド部材の位置を通ることが好ましい。
【００１５】
前記スライド部材が圧縮力及び張力の両方を垂直方向で受容するように構成されていることが好ましい。
【００１６】
前記少なくとも１つのスライド部材が、該スライド部材に対向する下部スライド表面と上部スライド表面との間でスライドするように構成されており、かつ前記スライド部材の接続部位において前記ピットマンの直線状の移動経路を維持するように構成されていることが好ましい。
【００１７】
前記スライド部材が、前記ピットマンに対して又は前記ジョークラッシャーの側板に対して移動するように配備されており、かつ該スライド部材に接続する固定部材が前記側板又は前記ピットマンに対応して接続されていることが好ましい。
【００１８】
前記破砕チャンバーの鉛直方向中央線が重力方向にあることが好ましい。
【００１９】
第１スライド部材が前記破砕チャンバーの鉛直方向中央線と前記偏心シャフトとの間に配置されていることが好ましい。
【００２０】
前記ジョークラッシャーが、前記第１スライド部材の方向から見た場合に前記偏心シャフトの後方に配置された第２スライド部材を更に備えることが好ましい。
【００２１】
前記ジョークラッシャーが、前記偏心シャフトと前記ピットマンとの間に配置された第３スライド部材を備えることが好ましい。
【００２２】
前記第３スライド部材が偏心シャフトの偏心移動を前記ピットマンの水平移動に移行させるように構成されていることが好ましい。
【００２３】
前記ジョークラッシャーが、前記偏心シャフトの偏心部と前記第１スライド部材又は第２スライド部材の固定部材との間で接続されたクランクを備えることが好ましい。
【００２４】
偏心スリーブ等の回転可能な偏心要素が前記ピットマンと前記破砕チャンバーに近接するピットマンの前端部に位置する偏心シャフトの偏心部との間で着軸されており、かつ前記偏心要素及び前記偏心シャフトの偏心度と回転速度とが、前記ピットマンの直線状の移動が実現するように等しく設定されていることが好ましい。
【００２５】
前記スライド部材は、前記破砕チャンバーの方向から見た場合に前記偏心シャフトの後方に配置されていることが好ましい。
【００２６】
前記ジョークラッシャーが、前記少なくとも１つのスライド部材を垂直に支持するように設定された特定の安全圧力限界を有する上部及び下部の液圧シリンダーを備えた安全デバイスを備えることが好ましい。
【００２７】
前記偏心シャフトと前記第１スライド部材との間の第１距離が、前記破砕チャンバーの鉛直方向中央線と前記第１スライド部材との間の第２距離よりも実質的大きくなるように設定されていることが好ましい。
【００２８】
前記ジョークラッシャーが設定及びジョー角度の調整装置を備え、該調整装置は前記固定ジョーの上端部及び下端部に位置することが好ましい。
【００２９】
本発明の第２の例示態様によれば、本発明の任意の実施形態によるジョークラッシャーを備える破砕プラントが提供される。
【００３０】
本発明の第３の例示態様によれば、ジョークラッシャー又は破砕プラントにおいて鉱物材料を破砕する方法であって、前記ジョークラッシャー又は破砕プラントは固定ジョーと可動ジョーとを備え、それら部材の間に破砕チャンバーが形成され、該破砕チャンバーはその上部が開放されており、前記固定ジョーには第１摩耗部が備え付けられており、前記可動ジョーにはピットマンと第２摩耗部とが備え付けられており、前記破砕チャンバーは、それぞれ等しい高さを有する上部区域、中間区域及び下部区域を備え、かつ前記ピットマンは、偏心シャフトと少なくとも１つのスライド部材とに軸着されており、前記破砕チャンバーの鉛直方向中央線に対して実質的に垂直な方向において前記ジョークラッシャーにおける移動機構の前記少なくとも１つのスライド部材をスライドさせることによって、前記破砕チャンバーにおいて、実質的に直線状の破砕ストロークが、破砕する材料に向くようにする、方法が提供される。
【００３１】
前記ジョークラッシャーの移動機構において前記偏心シャフトの中心を通る実質的な水平線が前記破砕チャンバーの中間区域を通ることが好ましい。
【００３２】
前記スライド部材を用いて異なる負荷状態において圧縮力と張力の両方を垂直方向で受容することが好ましい。
【００３３】
前記少なくとも１つのスライド部材を、該スライド部材に対向する下部スライド表面と上部スライド表面との間でスライドさせ、前記スライド部材の接続領域においてピットマンの直線状移動経路を維持することが好ましい。
【００３４】
前記ピットマンに対して又は前記ジョークラッシャーの側板に対して前記スライド部材を移動させることが好ましい。
【００３５】
クランクによって前記スライド部材を前記偏心シャフトの偏心移動と連動させることが好ましい。
【００３６】
前記ジョークラッシャーの設定とジョー角度とは、前記固定ジョーの固定ジョーの上端部及び下端部に位置する調整装置によって調整されることが好ましい。該調整装置は、前記ジョークラッシャーの本体（前方端部）と前記固定ジョーの摩耗部との間に位置することが好ましい。オーバーロード保護デバイスが前記調整装置に組み込まれていることが好ましい。
【００３７】
初期試験によれば、本発明に係るクラッシャーの製造能力は、明らかに、従来のシングルトグルクラッシャーよりも高い。粗積りによれば、摩耗部の摩耗は従来技術の摩耗と比較すると１／４である。重要となるジョー角度は、可動ジョーの良好な移動経路により広くなり得る。
【００３８】
鉱物材料の破砕量当たりのジュークラッシャーによって利用される動力は、既知の応用における動力よりも小さいものとなり得る。何故ならば、各ジョーの間で破砕を受ける材料を垂直に移動させる破砕イベントにおいて利用されるエネルギーはより小さいからである。動力の大部分が、各ジョーの相対的な垂直移動を用いて材料を砕く方ではなく、鉱物材料の破砕に利用され得ることから、同じ破砕動力によって得られる破砕容量がより大きくなり得る。
【００３９】
上記移動機構により、破砕チャンバーの鉛直方向中央線に対して垂直な方向において最適なストロークが可能になる。同時に、同ストロークは、破砕チャンバー全体の領域において、殆んど又は完全に一定となり、それゆえに、また、破砕チャンバーの上部及び中央部に対して十分なストロークが得られる。破砕チャンバの上部において、該ストロークがダブルトグル型クラッシャーと比較して増大し、大きい塊の破砕可能性が増大する。そして、必要となる作業サクルも少なくなり、破砕チャンバーの上部の生産能力が増大する。破砕チャンバー全体は、実際により均一に稼働することが可能になる。ストロークが破砕チャンバーの二等分線に対して殆ど垂直となることから、各ジョーの摩耗は従来のクラッシャーと比較て小さくなる。固定ジョーの設定を調整することに加えて、上部及び／又は下部において該固定ジョーの位置を調整することによって、所望により追加の部材なしにジョー角度を変化させることができる。同時に、該ジョー角度は、各ジョーの寿命全体の間に一定に保つことができる。ジョー角度は、各岩石材料に対して好適になるよう調整することができる。
【００４０】
フライホイールの位置は、先行技術における位置よりも本発明においては実質的に低く、クラッシャー及び破砕プラントの全体の高さを減少させる。クラッシャーがよりコンパクトであることから、「固定ジョーではなく」可動ジョーの方向からもまた送給を可能にする。この状態は、可動ジョーに対する大きい石が、クラッシャーの構造に対してより大きい力を生じ得る当該可動ジョーよりも有利である。。
【００４１】
移動形状がより最適なものとなることから、クラッシャーと摩耗部材の摩耗が減じられ、生産能力が増大し、エネルギー消費量が減少する。
【００４２】
クラッシャーサイズがよりコンパクトになることから、破砕プラントの設計の柔軟性が以前よりも向上することを可能にする（プラントがよりコンパクトになる。）。
【００４３】
本発明の様々な実施形態が例示され、又は本発明の幾つかの態様にのみ関連して例示されている。当業者においては、本発明の特定の態様の任意の実施形態は、本発明の同一の態様、並びに他の態様にのみ、又はさらに他の実施形態との組合せにおいて適用され得ることが理解される。
【００４４】
添付の模式図を参照することにより本発明を例により説明する。
【図面の簡単な説明】
【００４５】
【図１】鉱物材料の破砕に適した破砕プラントの側面図を示す。
【図２】本発明の第１の好ましい実施形態による移動機構の側面図を示す。
【図３】本発明の第２の好ましい実施形態による移動機構の側面図を示す。
【図４】本発明の第３の好ましい実施形態による移動機構の側面図を示す。
【図５】本発明の第４の好ましい実施形態による移動機構の側面図を示す。
【図６】図３のジョークラッシャーに類似する代替クラッシャーを示す。
【図７】図４及び５のジョークラッシャーに類似する代替クラッシャーを示す。
【図８】本発明の第５の好ましい実施形態による移動機構の側面図である。
【図９】図８に示す移動機構の好ましい偏心配置の断面を示す。
【図１０】図２の移動機構が提供された、本発明の第１の好ましい実施形態による安全デバイスの例を示す。
【詳細説明】
【００４６】
以下の説明において、同様の数字は同様の要素を示す。示されている図面は縮尺が完全に釣り合ってはおらず、当該図面は、主に本発明の特定の例示実施形態を示すことを目的とするものであることを理解されたい。
【００４７】
図１は、鉱物材料処理装置、即ちジョークラッシャー１００を備える破砕プラント２００を示す。破砕プラント２００は、ジョークラッシャー１００に材料を送給するフィーダー１０３と、当該破砕プラントからさらに破砕した材料を輸送するベルトコンベヤー１０６とを有する。
【００４８】
図１に示すベルトコンベヤー１０６は、少なくとも１つのローラー１０８の周囲を通るように構成されたベルト１０７を備える。破砕プラント２００はまた、動力源と制御ユニット１０５とを備える。該動力源は、例えば、処理ユニット及び液圧回路にエネルギーを供給するディーゼルエンジン又は電動機であってもよい。
【００４９】
フィーダー１０３、クラッシャー１００、動力源１０５及びコンベヤー１０６は、破砕プラントの本体１０１に接続されており、本実施形態における該本体は、更に破砕プラント２００を移動させるトラックベース１０２を備える。該破砕プラントはまた、完全に若しくは部分的に車輪を利用したものであってもよく、又は脚部材を利用して移動可能なものであってもよい。あるいは、該破砕プラントは、例えばトラック又はその他外部動力源によって移動可能／牽引可能であってもよい。あるいは、該破砕プラントは、固定プラントであってもよい。
【００５０】
鉱物材料は、例えば採鉱された岩石あってもよく、又はアスファルト若しくはコンクリートやレンガ等の建築解体廃棄物等であってもよい。上記に加え、該破砕プラントは固定プラントであってもよい。
【００５１】
図２から図１０に示す、ジョークラッシャー１００の移動機構の実施形態は、例えば図１の破砕プラント２００において用いられ得る。
【００５２】
図１から図１０に示すジョークラッシャー１００は、固定ジョーと可動ジョーとを備え、これら部材はその間に上部が開放された破砕チャンバー３を形成する。第１摩耗部１が該固定ジョーに接続されており、第２摩耗部２がピットマン４に固定されている。図２から図１０において、前記固定ジョーは前記固定ジョーに接続された摩耗部１によって表されており、前記可動ジョーはピットマン４に接続された摩耗部２によって表されている。破砕チャンバー３は、それぞれ等しい高さｈを有する上部区域５、中間区域６及び下部区域７を備えている。ジョークラッシャーの移動機構は、ピットマン４が、第１に回転可能な偏心シャフト８に接続し、第２に、破砕チャンバー３の垂直な鉛直方向中央線１０に対して実質的に垂直な方向においてスライドするように構成された少なくとも１つのスライド部材９に接続されていることに基づくものである。偏心シャフト８の中心を通る実質的に水平な線１１が破砕チャンバ３の中間区域６を通ることが好ましい。
【００５３】
偏心シャフト８の中心を通る実質的に水平な線１１は、破砕チャンバ３の水平中心線３′を通ることにより、前記破砕チャンバーが等しい高さＨで２つの部分に分割されることが好ましい。
【００５４】
偏心シャフト８は、一方の側がピットマン４に第１支持点で、かつ他方の側がジョークラッシャーの本体（不図示）に、回転可能に軸着されている。該偏心シャフトの偏心度を用いることにより、ピットマン４とそれによる可動ジョーとのストロークを生み出す。偏心シャフト８の偏心度は、可動ジョーのストローク長の半分に等しいことが好ましい。
【００５５】
ピットマン４は、さらに、少なくとも１つのスライド部材９によって少なくとも第２支持点において本体２に支持される。前記少なくとも１つのスライド部材９は、該スライド部材９に対向する下部スライド表面１２と上部スライド表面１３との間で（クラッシャー本体に対して）スライドするように構成されていることが好ましい。前記上部スライド表面はスライド部材９の上方への移動を規制し、前記下部スライド表面はスライド部材９の下方への移動を規制することにより、該スライド部材の接続部位におけるピットマンの直線状移動経路を維持する。
【００５６】
スライド部材９は、異なる負荷状態において圧縮力及び張力の両方を受容するように、つまり、破砕チャンバー３の上部位置又は低部位置における破砕可能材料の位置とそこから結果として生じる力とに応じて、上方と下方との両方に向かう力を受容するように構成されている（図１０も参照。）。
【００５７】
スライド部材９は、ピットマン４の摩耗部２の摩耗表面に可能な限り近接して水平に位置していることが好ましく、この場合、図２の可動ジョーに対して極めて短い垂直移動が獲得され得る。固定ジョーに対するピットマン摩耗表面の垂直移動が減少すると、破砕を受ける材料が各ジョーの間で垂直に摩耗されてはならない場合に、クラッシャーで必要とされる動力を減じる。
【００５８】
ピットマン４に対するスライド部材９の接続部が第摩耗部２の摩耗表面に、より好ましくは破砕チャンバー３の垂直鉛直方向中央線１０に近づけば近づくほど、偏心シャフト７もまた前記摩耗表面により近づくこととなり、クラッシャーを短くすることができる。前記偏心シャフト、及び必要に応じて該偏心シャフトに接続されたフライホイールを典型的なシングルトグルクラッシャーよりも低くすることが可能である場合、前記クラッシャーを低くすることも可能であり、コンパクトなクラッシャーを作ることができる。
【００５９】
破砕チャンバー３の垂直鉛直方向中央線１０は、図２から図８及び図１０に示すとおり重力方向にあることが好ましい。これによって、例えば前記固定ジョー及び前記可動ジョーにおける向かい合った摩耗部１と２とが垂直線に対して互いに反対の方向において等しい傾斜角度を有する場合、摩耗部１及び２が等しく摩耗するように破砕チャンバー３を構成することができる。一般に、破砕チャンバー３の垂直鉛直方向中央線１０は、破砕チャンバー３のにおけるニップアングルを二分する方向、即ち当該破砕チャンバーの二等分線の方向にある。本説明における図は、当該破砕チャンバーの二等分線が重力方向にある場合の好ましい状態で描写されたものである。
【００６０】
鉱物材料の破砕において、破砕チャンバーの開口部は、実際には、例えば破砕チャンバーに石を送給するための特定のサイズを有する。破砕チャンバーのジョー角度を調整することによって、破砕を受ける材料を所定位置に保持し、固定ジョーとピットマンとに固定された摩耗部の表面上で上方に動かないように、効率的な破砕を実現する。場合によってはジョー角度が先行技術と比較して大きくされ得る本発明の好ましい実施形態によるクラッシャーを用いて破砕した場合、ピットマン４は、破砕チャンバー３の鉛直方向中央線１０に対して実質的に垂直に移動され得る。そして、該クラッシャーは必要に応じて低くすることもできる。
【００６１】
ジョークラッシャーの設定及びジョー角度は、各装置（不図示）を調整することによって調整することができ、それら各装置は固定ジョーの上端部及び下端部に位置することが好ましい。これらの調整装置にはオーバロード保護デバイスが組み込まれていることが好ましい。
【００６２】
可動ジョーの移動機構により、破砕チャンバー３の鉛直方向中央線１０に対して垂直な方向における最適なストロークが可能になる。図２〜図８に示す実施形態においては、ストロークはほぼ一定であり、図３〜９においては、さらに、破砕チャンバー全体の領域において直線である。
【００６３】
図２は、第１の好ましい実施形態による移動機構の側面図を示す。シャフト１４又は一方の側でスライド部材９に接続する対応の固定部材が、他方の側でピットマン４に、又はクラッシャー本体の側板に接続している。対応して、スライド部材９は、該側板又はピットマンに対して移動する。スライド部材９は、前記側板又はピットマンに開けられた穴１５を移動可能であることが好ましい。該穴は、好ましくは、スライド部材９に近接するように構成された、互いに向かい合う２つのスライド表面１２及び１３を備える。
【００６４】
破砕チャンバーにおける可動ジョー２の移動経路１６は、図２においては楕円形状であり、図２においては偏心シャフト８は、該偏心シャフトが位置するピットマンの後端部を上昇させ及び下降させる。移動経路１６の縦軸は、破砕チャンバー３の鉛直方向中央線１０に対して垂直である。スライド部材９は、破砕チャンバーの鉛直方向中央線に可能な限り近接させた場合、移動経路１６は最も水平となり、固定ジョーと可動ジョーとの相対的な望ましくない垂直移動が最小化される。
【００６５】
破砕チャンバー３の中間区域６を通る実質的に水平な線１１状の偏心シャフトの位置は、破砕チャンバ３の上部区域５及び下部区域７において可動ジョーの対称移動経路１６を作り出す。
【００６６】
図２において、偏心シャフト８は時計回りに回転するように最適に構成されており、即ち偏心シャフトの偏心部は、偏心シャフトの下に矢印によって示す破砕チャンバ３の側で上方に移動する。偏心シャフト８の当該回転方向により、前記移動機構と共に、移動経路１６の反時計回りの方向を生成し、この方向は該移動経路の上の矢印によって示されている。
【００６７】
図３は、第２の好ましい実施形態による移動機構の側面図である。可動ジョーの完全に直線状の移動経路１６が、破砕チャンバの垂直鉛直方向中央線１０に実質的に垂直な方向においてスライドするように構成された（少なくとも）２つのスライド部材を用いて達成される。図３のジョークラッシャーは、図２に示す第１スライド部材９に加えて、ピットマン４の後端に、２つの向かい合ったスライド表面と接触し、図２に記載の第１スライド部材９と機能が同じ、追加のスライド部材、即ち第２スライド部材９′と、偏心シャフト８とピットマン４との間に配置される追加の第３スライド部材１９とを備える。第３スライド部材１９は、実質的に垂直にスライドするように配置されていることが好ましい。前記第２スライド部材は、前記第１スライド部材の方向から見た場合、前記偏心シャフトの後方に配置されている。第１スライド部材９及び第２スライド部材９′は、前記可動ジョーの移動経路を直線状に維持し、可動ジョーを、好ましくは水平に移動させる正しい位置に保持する。第１スライド部材９及び第２スライド部材９′は、クラッシャーの側板に対して又はピットマンに対して移動する。当該第１スライド部材及び第２スライド部材は、異なる負荷状態において圧縮力と張力との両方を受容するように、言い換えると結果として生じる破砕力の位置に依存して上方と下方の両方に向かう力を受容するように構成されている。
【００６８】
第３スライド部材１９は、偏心部の移動を破砕チャンバの垂直鉛直方向中央線１０に対して実質的に垂直な方向におけるピットマンの移動に移行させるように構成されている。より詳細には、第３スライド部材１９は、偏心シャフトの偏心移動をピットマン４の水平移動に移行させるように構成されており、好ましくは偏心シャフト８の垂直移動成分を排除するように構成されている。第３スライド部材１９は、ピットマンの側をスライドし、好ましくは当該ピットマンの開口１７の中をスライドする。ピットマン４、好ましくは開口１７は、第３スライド部材１９に対向し、かつ該第３スライド部材と近接するように構成された第３スライド表面１８及び第４スライド表面１８′を備える。
【００６９】
スライド部材９、９′、１９全て（また偏心シャフト８）の好ましい位置は、破砕チャンバ３の鉛直方向中央線１０に対して垂直な線１１上にあり、かつ垂直方向では当該破砕チャンバの水平中央線３′の高さ方向に存在する。前記第１スライド部材及び第２スライド部材の代替位置が図６及び図７に関連して説明されている。
【００７０】
実質的な水平な線１１がピットマン４の支持点を、好ましくは前記第１スライド部材及び第２スライド部材を、かつ破砕チャンバ３の中間区域６を通る場合、前記第１スライド部材及び第２スライド部材は、上部区域と下部区域とに向かう力を受容し、前記第１スライド部材及び第２スライド部材の下部表面及び上部表面との接触状態からの分離を除外する。
【００７１】
図４は、本発明の第３の好ましい実施形態による移動機構の側面図である。可動ジョーの完全な直線形状の移動経路１６が、図３と同様に第１スライド部材９及び第２スライド部材９′を用いて達成される。図４の可動ジョーの破砕移動は、偏心シャフト８と、偏心シャフトの偏心部と第２スライド部材９′のシャフト２１等の固定部材との間で接続されるクランク２０を備えたクランク機構とによって生み出される。当該クランク機構は、前記偏心シャフトの偏心移動をピットマンの４の水平移動に移行させ、かつ偏心シャフト８の垂直移動成分を遮断するように構成されている。
【００７２】
第１スライド部材９及び第２スライド部材９′は、可動ジョーの移動経路を直線状に維持し、可動ジョーを正しい位置に保持する。第１スライド部材９及び第２スライド部材９′は、クラッシャーの側板に対して又はピットマンに対して移動する。該第１スライド部材及び第２スライド部材は、異なる負荷状態において圧縮力と張力との両方を受容するように、言い換えると結果として生じる破砕力の位置に依存して上方と下方の両方に向かう力を受容するように構成されている。
【００７３】
２つのスライド部材９、９′及び偏心シャフト８の好ましい位置は、破砕チャンバ３の鉛直方向中央線１０に対して垂直な線１１上にあり、かつ垂直方向では当該破砕チャンバの水平中央線３′の高さ方向に存在する。前記第１スライド部材及び第２スライド部材の代替位置が図６及び図７に関連して説明されている。
【００７４】
図５における移動機構は、図４における移動機構と基本的には同様のものであるが、クランク２０が、第２スライド部材９′の固定部材２１の代わりに第１スライド部材９の固定部材１４に軸支されている。図４と同じ移動に関する利点が達成される。当然、前記クランクは、第１スライド部材と第２スライド部材との両方に連結され得る。
【００７５】
図６及び７は、図３〜図５のジョークラッシャーと同様の代替ジョークラッシャーを示し、ジョークラッシャーは、破砕チャンバの垂直対角性１０に対して実質的に垂直な方向においてスライドするように構成された２つのスライド部材を備える。
【００７６】
図６の例においては、ジョークラッシャーの第２実施形態の第１スライド部材９及び第２スライド部材９′は、同じ垂直高さに位置しているが、偏心シャフト８とは異なる垂直高さレベルに位置する。図６においては、スライド部材の異なる高さ一に関し更なる選択肢が破線を用いて示されており、参照番号９"を用いて示されている。前記第１スライド部材及び第２スライド部材は、破砕チャンバの鉛直方向中央線に対して実質的に垂直な方向においてスライドするように構成されている場合、異なる垂直高さレベルに位置していてもよい。図６に従って説明される高さレベルの例はまた、ジョークラッシャーの第３及び第４の実施形態と共に適用され得る。
【００７７】
図７の例においては、ジョークラッシャーの第３実施形態の第１スライド部材９及び第２スライド部材９′は異なる垂直高さに位置している。図７の例においては、スライド部材の一方が偏心シャフト８と同じ高さレベルに位置する。図７に従って説明される高さレベルの例はまた、ジョークラッシャーの第２の実施形態と共に適用され得る。
【００７８】
図８に示す移動機構の第５の好ましい実施形態は、偏心シャフト８の偏心部の周囲に搭載される偏心スリーブ等の追加の偏心要素２２を備え、偏心要素２２は破砕チャンバ又は第２摩耗部２に近接するピットマン４の前端部に位置する。第２偏心要素２２は、図８において反対方向を向く矢印で示されるとおり、偏心シャフト８とは反対の回転方向で回転する（図９における回転デバイス２３）ように構成されている。両偏心要素８及び２２の偏心度と回転速度は、可動ジョーの完全な直線状かつ水平な移動経路１６が達成されるように互いに等しく設定されることが好ましい。
【００７９】
組み合わせた２つの偏心部８、２２と第２スライド部材９′により、可動ジョーの移動経路を直線状に維持し、該可動ジョーを正しい位置に保持する。第２スライド部材９′は、クラッシャーの側板に対して又はピットマンに対して移動する。組み合わせた２つの偏心部８、２２と第２スライド部材９′は、異なる負荷状態において圧縮力と張力との両方を受容するように、言い換えると破砕チャンバ３にける結果として生じる破砕力の位置に依存して上方と下方の両方に向かう力を受容するように構成されている。
【００８０】
図９は、図８に示す移動機構の例示偏心配置の断面を示す。偏心シャフト８は、ジョークラッシャー１００の側板２４等の本体に軸着されている。第１に、偏心スリーブ２２が偏心シャフト８の偏心部８′に、その周りに軸着され、第２に、ピットマン４の穴４′の中に軸着されている。回転デバイス２３はピットマン４と例示平衡錘２５を有する偏心スリーブ２２とに連結されている。
【００８１】
図１０は、図２の移動機構に備えられたオーバロード安全デバイス２６、２７を示す。該安全デバイスは、好ましくは下部及び上部のスライド表面１２、１３を介してスライド部材９を垂直方向から支持するように設定された特定の安全圧限界を有する下部及び上部の液圧シリンダー２６、２７を備える。典型的には、破砕力の合力が、破砕チャンバー３の上部区域５（例えば大きい石）又は下部区域７（例えば、金属片又は微細材料の塊）において生じ、スライド部材９（及び／又は第２スライド部材９′）は高い垂直方向の力を受容する。図９の例においては、材料２８は、破砕チャンバーの下部区域７で塊となり、下部液圧シリンダー２６が垂直方向の力２９によりスライド部材９を支持する。
【００８２】
前述の液圧シリンダー２６，２７の配置は、通常運転の間は、スライド部材９（及び／又は第２スライド部材９′）と、下部表面１２との間、また上部表面１３との間のクリアランスを適切に維持するように構成されている。
【００８３】
安全デバイスの別の例によれば、第１スライド部材９及び第２スライド部材）９′の固定シャフト１４、２１は、特定のせん断力が生成されるような寸法とされている。
【００８４】
本発明によれば、前記摩耗部の効率及び摩耗の観点から、ジョークラッシャー１００の可動ジョーの極めて最適な移動経路１６を作り出すことが可能となる。実質的に直線状の移動が達成され得、この移動は、前記破砕チャンバーの鉛直方向中央線に対して垂直であり、かつ破砕チャンバー全体にわたって大きさが等しい。必要とされる最終的な約０．２％の圧縮ひずみにより大きい石が破砕されるように十分なストロークが破砕チャンバーの上部において実現される。破砕チャンバの下部区域における大きいストロークは、クラッシャー１００及び破砕プラント２００の生産能力を増加させる。破砕チャンバーの鉛直方向中央線に対して垂直な直線状のストロークは摩耗部を最小限に摩耗する。
【００８５】
上記の移動機構の各選択肢においてはスライド方向が同じ１つ又は２つのスライドを用いる。該スライドは２方向の力を生成することが好ましい。水平に移動するスライドは下方及び上方に向かう力を生成することが好ましい。スライド及び偏心シャフトは、破砕チャンバーの中間区域を通る線上に位置することが好ましい。
【００８６】
図１は、非常に単純に利用可能であり、破砕チャンバー３の全体の領域において相対的に良好な移動経路１６を伴って容易に実施することができる。破砕チャンバーが極めて高い場合、破砕チャンバーの中間区域６におけるストロークは上部区域５及び下部区域７におけるストロークよりも短いままとなる。偏心シャフト８と第１スライド部材９との間の第１距離は、破砕チャンバーの鉛直方向中央線１０と第１スライド部材９との間の第２距離よりも実質的に大きくなるように設定される。前記第１距離が前記第２距離よりも大きいと、前記移動経路はより良好なものとなる。
【００８７】
図３〜図７の選択肢において、可動ジョーの移動経路は良好であるが、例えば、もう１つのシャフト２１が必要となる。可動ジョーの移動が直線状であり、ピットマンの揺動移動は存在しないので、ジョーククラッシャーのバランス取りを容易に実施することが好ましい。
【００８８】
図８による構成は動作の観点では最適なものである。当該移動は、直線状、つまり破砕チャンバーの鉛直方向中央線に対して垂直であり、ストロークは破砕チャンバー３の全ての区域において等しい。加えて、互いに反対の方向に回転する２つの同心の偏心要素８、２２により、クラッシャー１００のバランスを十分に取ることが可能になる。８００ｍｍ幅のジャーと２つのフライホイールを備えるクラッシャーのバランス取りは、各フライホイールに対して約１０ｋｇ質量を、偏心スリーブ２２に対して１つの７５ｋｇの平衡錘を載置することによって実施することができる。これにより、さらに可動破砕プラント２００に対して固定ジョーを強固に固定することが可能となり、また、好ましくは、可動破砕プラントの耐荷重部として側板を用いることが可能になる。
【００８９】
生産能力の増加により、前記移動機構を備えるクラッシャーは、好ましくは第２段階クラッシャーとして動作させることができる。例によれば、破砕プラントの長手方向における破砕プラントの開口の長さは３００ｍｍであり、設定は４０ｍｍである。２４度のニップ角度を用いると、破砕プラント３は約６００ｍｍの高さにしかならない。移動可能な集合体において、これにより、ジョーが幅広の場合に有利な点がもたらされる。
【００９０】
前記説明は、本発明の幾つかの実施形態の非限定的な例を提供するものである。当業者において本発明が提示される詳細に限定されるものではなく、本発明は他の同等の手段において実施され得ることは明らかである。
【００９１】
上記に開示される実施形態のある特徴はその他特徴を用いること無しに有利に用いられ得る。したがって、前述の説明は、本発明の原理の単なる例示として考慮されるものであり、本発明を限定するものではない。よって、本発明の要旨は、添付の特許請求の範囲によってのみ限定される。
【図１】
0006343668.tif 000002
【図２】
0006343668.tif 000003
【図３】
0006343668.tif 000004
【図４】
0006343668.tif 000005
【図５】
0006343668.tif 000006
【図６】
0006343668.tif 000007
【図７】
0006343668.tif 000008
【図８】
0006343668.tif 000009
【図９】
0006343668.tif 000010
【図１０】
0006343668.tif 000011